(57)【要約】【課題】飲食した物を、排泄した後で、ふき取るという行為は、特に、衛生面に関して改善されるべきものであるにも拘らず、ないがしろにされがちです。先進国だけでなく、多くの国の人々が使用でき、快適で清潔な暮らしができるように、非常に低価格で買える、お尻洗浄器をつくる。【解決手段】加圧装置を手動式にして、水を噴射させることにより、軽くて、価格も非常に安いものになる。【選択図】        図１
2004337548.tif 000002
【特許請求の範囲】
【請求項１】
大便を終った後、手の握る力で水に圧力を加えて尻を洗浄する携帯用お尻洗浄器。
【請求項２】
水に圧力を加える部分を長方体の形にして蛇腹式につくるお尻洗浄器。
【請求項３】
水に圧力を加える蛇腹式にできている箱のところに噴射装置を差し込むお尻洗浄器。
【請求項４】
噴射装置のノズルは、洗浄に使うときには箱の下から出るようにつくり、持ち運ぶときには箱の下に納まる形につくるお尻洗浄器。
【請求項５】
噴射装置のノズルを箱の下に納めたときには弁にて水が漏れないようになり、ノズルを出したときに水を噴射できる仕組みにつくるお尻洗浄器。
【発明の詳細な説明】
【０００１】
【発明の属する技術分野】
本発明は、トイレにて、大便をした後にお尻を清潔できれいにするために水にて洗い落とすための洗浄器具で、トイレの手を洗う場所へ備え付けておいても良く、旅行など、どこにでかけて行っても使用出来るように持ち歩きやすい、小型で軽い携帯用ものにしてつくり。世界の多くの人々が紙で拭いたり、水を使っても直接手で洗い落としたり、へらを使うところもあるので、より多くの人々が利用でき、清潔な暮らしができるように、何処の誰でも購入出来る価格の物をつくる。
【０００２】
【従来の技術】
従来の携帯用のお尻洗浄器は電池で水を噴射させるため、重量を軽くして、携帯として便利なものにするためにも限界があり、特に価格の面で東南アジア、インドなどの国々の多くの人々に普及させるには無理あった。
【０００３】
電池式のお尻洗浄器では、動力として電池を使うために、使用済み乾電池の廃棄物が発生するし、又、新しい電池を買うための費用もかかる。
【０００４】
【発明が解決しようとする課題】
お尻洗浄器を世界の国々の多くの人々が使用して、清潔な暮らしをするためには、世界のそれぞれの国ごとに所得のひらきがあまりにもおおきくありすぎるので、今までに販売されている携帯用のお尻洗浄器は電動式であるため価格の面でも高くなるために普及するにいたっていないので、多くの国の人々が購入でき利用できる、低価格の物をつくる。
【０００５】
お尻洗浄器は持ち運びやすいように、より軽くなるような仕組みにつくる。
【０００６】
お尻洗浄器の価格は、より多くの人々に清潔で快適な生活をしてもらう事ができるようにするために、価格を安くする必要があり、水を噴射させる方法を変えることによりローコスト化を計る。
【０００７】
洗浄器を使用するとき噴射装置のノズルを本体より出した形にて使用するが、持ち運ぶときには、ノズルが本体より出っ張らないようにして、水が漏れない構造にする。
【０００８】
【課題を解決するための手段】
上記目的を達成するために、本発明における携帯用お尻洗浄器は長方体の加圧装置を設け、そこに、噴射装置を取り付ける形になる。
【０００９】
長方体の加圧装置は上の面と下の面を挟んで持ち上下に押しつぶすように使う。
【００１０】
加圧装置は上下に押しつぶしやすいように柔らかい材質でつくり、側面が縮むような形の蛇腹式にする。
【００１１】
加圧装置には洗浄用の水を入れるための穴を開けておく。
【００１２】
噴射装置は加圧装置の水を入れるための穴に差し込めるように穴に合わせてつくる。
【００１３】
噴射装置は加圧装置の蓋としても使えるようにつくる。
【００１４】
噴射装置のノズルには、小さな穴を数個開けておく。
【００１５】
噴射装置のノズルは使用するとき加圧装置の水を注入する口を中心にして回すと、ノズルが洗浄しやすいように加圧装置の外側に出る仕組みにつくる。
【００１６】
噴射装置のノズルが長方体の加圧装置の下に納まっている時には弁が閉まり、使用するためにノズルを回して出した時、弁が開いて、水が出る構造につくる。
【００１７】
【発明実施の形態】
本発明の携帯用お尻洗浄器は、加圧装置をゴム又は軟質のポリエチレンを用いて箱状につくり。加圧装置に取り付ける噴射装置は塩化ビニール樹脂を用いてつくる。
【００１８】
携帯用お尻洗浄器は使用してない時、又は、持ち運ぶときには加圧装置の下に噴射ノズル納まり弁が閉じた状態になって、携帯しやすいような形になり、使用する時にだけノズルを１８０度まわすと弁が開き、洗浄につかうことができる。
【００１９】
箱状の加圧装置から噴射装置を外して水を入れ、その後に、噴射装置を取り付けて、用便後、噴射装置を回してノズルを加圧装置の外側に出して、お尻洗浄器を尻の下に持っていき、上と下から押しつぶすように手で握り加圧装置内の水圧を上げて、噴射装置の数個の小さな穴の開いたノズルより噴射される水にて、お尻の穴を洗浄する。
【００２０】
【発明の効果】
本発明は、上述の通り構成されているので。次に記載する効果を奏する。
【００２１】
請求項１の洗浄器においては、用便の後お尻を水で洗うことが習慣になっていると、トイレットペーパーで拭いただけでは、実際のところ、臭気はまだ付着していて、きれいに落ちた気がしなくなりますが。このような時、水で洗浄することができる、小さくて、軽い携帯用の洗浄器があれば、洗浄器のついていないトイレでも、用便後，お尻を洗浄することができ、きれいに洗い落とすことができるので、痔病もち人には特に喜ばれるし、イスラムの人たちも洗浄器を使えば、食事のとき、不浄の手が無くなり、両手を使うことができるようになる。
【００２２】
請求項２の洗浄器において、手の力で水を噴射させるため、ポンプや電池を必要としない、その分、軽く、コンパクトになり、持ち歩きに便利なのと、価格も非常に安く作れるので、手洗い場等に置いておくと良い。
【００２３】
請求項１，２，３、４、の洗浄器において、洗浄器の加圧装置の部分をつかんで、上と下から力を加えると、噴射ノズルから水が数本の糸状になって吹き上がり、この時、蛇腹式の水タンクを一回握りつぶすだけでタンク内の殆どの水が噴射されるので、尻をきれいに洗い落とすに十分な量の水が出るのと、又、手動で水を噴射させるため、握る力の強弱で水勢の加減ができる上に、電池を使わないので廃棄物が発生しない。
【００２４】
請求項３，４，５、の洗浄器において、加圧装置の噴射装置挿入口を上に向けて、水を入れ、噴射装置を差し込んで蓋をし、洗浄するときは、噴射ノズルを１８０度捻ればよいので操作が簡単である。
【図面の簡単な説明】
【図１】本発明に適用した、携帯用お尻洗浄器の斜視図である。
【図２】本発明に適用した、携帯用お尻洗浄器の側面図である。
【図３】本発明に適用した、携帯用お尻洗浄器の噴射装置の平面図である。
【図４】本発明に適用した、携帯用お尻洗浄器の噴射装置を使用する時、弁が開いた状態の側面図である。
【図５】本発明に適用した、携帯用お尻洗浄器の噴射装置のノズルを納めて、弁が閉まった状態の側面図である。
【符号の説明】
１  加圧装置
２  噴射装置
３  噴射ノズルの穴
４  噴射装置の水入れ口を兼ねる噴射装置の受け入れ口
５  噴射装置の加圧装置への挿入接続部
６  弁
７  通水用の管
【図１】
2004337548.tif 000003
【図２】
2004337548.tif 000004
【図３】
2004337548.tif 000005
【図５】
2004337548.tif 000006
【手続補正書】
【提出日】平成15年8月5日(2003.8.5)
【手続補正１】
【補正対象書類名】図面
【補正対象項目名】全図
【補正方法】変更
【補正の内容】
【図１】
2004337548.tif 000007
【図２】
2004337548.tif 000008
【図３】
2004337548.tif 000009
【図４】
2004337548.tif 000010
【図５】
2004337548.tif 000011